(57)【特許請求の範囲】
【請求項１】
ワイヤーハーネスを収容可能な第１プロテクタ分割部と、
ワイヤーハーネスを収容可能な第２プロテクタ分割部と、
前記第１プロテクタ分割部に第１ヒンジ部を介して連結されると共に、前記第２プロテクタ分割部に第２ヒンジ部を介して連結され、前記第１ヒンジ部と前記第２ヒンジ部との間に少なくとも１つの中間ヒンジ部が設けられた連結部と、
を備え、
前記第１プロテクタ分割部は、少なくとも一端側に第１開口部が形成された第１筒形状部分を含み、
前記第２プロテクタ分割部は、一側部に前記第１開口部と連設可能な第２開口部が形成され、前記第１開口部と前記第２開口部とが連設された状態で、前記第１筒形状部分に対して交差する一方向に突出して配設可能な第２筒形状部分を含み、
前記第１筒形状部分と前記第２筒形状部分とが交差する内側コーナー部分に、前記連結部が設けられており、
前記第１プロテクタ分割部は、一側部にワイヤーハーネス収容用開口が形成された第１収容本体部と、前記第１収容本体部に対してその前記ワイヤーハーネス収容用開口を閉じるように取付可能な第１蓋部とを含み、
前記第２プロテクタ分割部は、前記第１筒形状部分に対して突出する側の端部にワイヤーハーネス収容用開口が形成された第２収容本体部と、前記第２収容本体部に対してその前記ワイヤーハーネス収容用開口を閉じるように取付可能な第２蓋部とを含み、
前記第１蓋部と前記第２蓋部とが前記連結部を介して連結され、前記第１収容本体部と前記第２収容本体部とが別体に形成されており、
前記第２収容本体部の一側部であって前記ワイヤーハーネス収容用開口から離れた位置に前記第２開口部が形成され、前記第２収容本体部の一側部であってそのワイヤーハーネス収容用開口と前記第２開口部との間に中間開口部が形成され、
前記連結部は、前記中間ヒンジ部で延した状態で、前記中間開口部を閉鎖可能な形状に形成されている、プロテクタ。
【請求項２】
請求項１に記載のプロテクタと、
前記第１プロテクタ分割部及び前記第２プロテクタ分割部に収容されたワイヤーハーネスと、
を備えるプロテクタ付ワイヤーハーネス。
【請求項３】
ワイヤーハーネスを収容可能な第１プロテクタ分割部と、ワイヤーハーネスを収容可能な第２プロテクタ分割部と、前記第１プロテクタ分割部に第１ヒンジ部を介して連結されると共に、前記第２プロテクタ分割部に第２ヒンジ部を介して連結され、前記第１ヒンジ部と前記第２ヒンジ部との間に少なくとも１つの中間ヒンジ部が設けられた連結部と、を備え、前記第１プロテクタ分割部は、少なくとも一端側に第１開口部が形成された第１筒形状部分を含み、前記第２プロテクタ分割部は、一側部に前記第１開口部と連設可能な第２開口部が形成され、前記第１開口部と前記第２開口部とが連設された状態で、前記第１筒形状部分に対して交差する一方向に突出して配設可能な第２筒形状部分を含み、前記第１筒形状部分と前記第２筒形状部分とが交差する内側コーナー部分に、前記連結部が設けられているプロテクタと、
前記第１開口部及び前記第２開口部を通って、前記第１プロテクタ分割部及び前記第２プロテクタ分割部に収容されたワイヤーハーネスと、
を備え、
前記連結部が前記中間ヒンジ部で延びた状態で、前記第１筒形状部分と前記第２筒形状部分とが重ね合せて配設されている、プロテクタ付ワイヤーハーネスの中間製造物。
【発明の詳細な説明】
【技術分野】
【０００１】
この発明は、ワイヤーハーネスをプロテクタによって保護する技術に関する。
【背景技術】
【０００２】
特許文献１に開示のように、車両等に配設されるワイヤーハーネスを保護するため、プロテクタが用いられることがある。プロテクタは、樹脂等によって半筒状或は筺状に形成されており、前記ワイヤーハーネスを覆うことで当該ワイヤーハーネスを外部から保護する役割を有する。かかるプロテクタは、ワイヤーハーネスの配設対象となる経路に応じた形状に形成されている。
【先行技術文献】
【特許文献】
【０００３】
【特許文献１】特開２０１３−４２５６６号公報
【発明の概要】
【発明が解決しようとする課題】
【０００４】
ところで、プロテクタに対してワイヤーハーネスを収容する作業を考慮すると、プロテクタはなるべく真っ直ぐに延在していることが好ましい。また、プロテクタの保管、運搬効率等を考えると、プロテクタをなるべくコンパクトな形態に変形できるようになっていることが好ましい。
【０００５】
そこで、プロテクタを複数の部分に分割し、各分割部分をヒンジによって連結する構成が考えられる。しかしながら、プロテクタの各分割部分をヒンジで連結した構成では、当該プロテクタは、ヒンジの軸周りに回転して変形することができるのみであり、変形の自由度が小さい。
【０００６】
そこで、本発明は、プロテクタの変形自由度を向上させることを目的とする。
【課題を解決するための手段】
【０００７】
上記課題を解決するため、第１の態様に係るプロテクタは、ワイヤーハーネスを収容可能な第１プロテクタ分割部と、ワイヤーハーネスを収容可能な第２プロテクタ分割部と、前記第１プロテクタ分割部に第１ヒンジ部を介して連結されると共に、前記第２プロテクタ分割部に第２ヒンジ部を介して連結され、前記第１ヒンジ部と前記第２ヒンジ部との間に少なくとも１つの中間ヒンジ部が設けられた連結部と、を備える。
【０００８】
また、第１の態様は、前記第１プロテクタ分割部は、少なくとも一端側に第１開口部が形成された第１筒形状部分を含み、前記第２プロテクタ分割部は、一側部に前記第１開口部と連設可能な第２開口部が形成され、前記第１開口部と前記第２開口部とが連設された状態で、前記第１筒形状部分に対して交差する一方向に突出して配設可能な第２筒形状部分を含み、前記第１筒形状部分と前記第２筒形状部分とが交差する内側コーナー部分に、前記連結部が設けられているものである。
【０００９】
また、第１の態様は、前記第１プロテクタ分割部は、一側部にワイヤーハーネス収容用開口が形成された第１収容本体部と、前記第１収容本体部に対してその前記ワイヤーハーネス収容用開口を閉じるように取付可能な第１蓋部とを含み、前記第２プロテクタ分割部は、前記第１筒形状部分に対して突出する側の端部にワイヤーハーネス収容用開口が形成された第２収容本体部と、前記第２収容本体部に対してその前記ワイヤーハーネス収容用開口を閉じるように取付可能な第２蓋部とを含み、前記第１蓋部と前記第２蓋部とが前記連結部を介して連結され、前記第１収容本体部と前記第２収容本体部とが別体に形成されているものである。
【００１０】
また、第１の態様は、前記第２収容本体部の一側部であって前記ワイヤーハーネス収容用開口から離れた位置に前記第２開口部が形成され、前記第２収容本体部の一側部であってそのワイヤーハーネス収容用開口と前記第２開口部との間に中間開口部が形成され、前記連結部は、前記中間ヒンジ部で延した状態で、前記中間開口部を閉鎖可能な形状に形成されているものである。
【００１１】
第２の態様に係るプロテクタ付ワイヤーハーネスは、第１の態様に係るプロテクタと、前記第１プロテクタ分割部及び前記第２プロテクタ分割部に収容されたワイヤーハーネスとを備える。
【００１２】
第３の態様に係るプロテクタ付ワイヤーハーネスの中間製造物は、ワイヤーハーネスを収容可能な第１プロテクタ分割部と、ワイヤーハーネスを収容可能な第２プロテクタ分割部と、前記第１プロテクタ分割部に第１ヒンジ部を介して連結されると共に、前記第２プロテクタ分割部に第２ヒンジ部を介して連結され、前記第１ヒンジ部と前記第２ヒンジ部との間に少なくとも１つの中間ヒンジ部が設けられた連結部と、を備え、前記第１プロテクタ分割部は、少なくとも一端側に第１開口部が形成された第１筒形状部分を含み、前記第２プロテクタ分割部は、一側部に前記第１開口部と連設可能な第２開口部が形成され、前記第１開口部と前記第２開口部とが連設された状態で、前記第１筒形状部分に対して交差する一方向に突出して配設可能な第２筒形状部分を含み、前記第１筒形状部分と前記第２筒形状部分とが交差する内側コーナー部分に、前記連結部が設けられているプロテクタと、前記第１開口部及び前記第２開口部を通って、前記第１プロテクタ分割部及び前記第２プロテクタ分割部に収容されたワイヤーハーネスと、を備え、前記連結部が前記中間ヒンジ部で延びた状態で、前記第１筒形状部分と前記第２筒形状部分とが重ね合せて配設されているものである。
【発明の効果】
【００１４】
第１〜第３の態様によると、第１プロテクタ分割部と第２プロテクタ分割部とが、第１ヒンジ部と第２ヒンジ部と中間ヒンジ部とを含む連結部によって連結されている。このため、連結部を中間ヒンジ部で曲げることで第１ヒンジ部と第２ヒンジ部とを近づけて配設することができる。また、連結部を中間ヒンジ部で延すことで第１ヒンジ部と第２ヒンジ部とを離して配設することができる。これにより、第１プロテクタ分割部と第２プロテクタ分割部との相対的な位置関係を変更することができる。また、第１プロテクタ部と第２プロテクタ部とを、第１ヒンジ部、第２ヒンジ部及び中間ヒンジ部の少なくとも１つの軸周りに回転させることによっても、第１プロテクタ分割部と第２プロテクタ分割部との相対的な位置関係を変更することができる。このため、プロテクタの変形自由度を向上させることができる。
【００１５】
第１〜第３の態様によると、第２筒形状部分のうち第１筒形状部分よりも突出する部分を第１筒形状部分に重ねるようにすることで、第１プロテクタ分割部と第２プロテクタ分割部とをコンパクトな形態に変形させることができる。この際、連結部を中間ヒンジ部で延すことで、第２ヒンジ部を第１筒形状部分の端部から中央よりの位置に配設することで、第２筒形状部分のより多くの部分を第１筒形状部分に重ねることができ、第１プロテクタ分割部と第２プロテクタ分割部とをよりコンパクトな形態に変形させることができる。
【００１６】
第１及び第２の態様によると、第１収容本体部と第２収容本体部とが別体に形成されているため、これらのワイヤーハーネス収容用開口をなるべく同一平面上に並べるように配設することができる。これにより、第１収容本体部及び第２収容本体部へのワイヤーハーネスの収容作業を容易に行える。また、ワイヤーハーネスを収容した第１収容本体部及び第２収容本体部に、連結部を介して連結された第１蓋部と第２蓋部とを取付けることで、第１プロテクタ分割部と第２プロテクタ分割部とを連結した状態に維持して、取扱を容易にすることができる。
【００１７】
第１及び第２の態様によると、連結部を中間ヒンジ部で曲げることで、第１蓋部と第２蓋部とを近づけることができる。これにより、第１収容本体部と第２収容本体部とのそれぞれのワイヤーハーネス収容用開口をなるべく同一平面上に並べるように配設した状態で、各ワイヤーハーネス収容用開口に、第１蓋部と第２蓋部とを容易に装着することができる。また、連結部を中間ヒンジ部で延すことで、中間開口部を閉塞することができる。これにより、ワイヤーハーネスをより確実に覆うことができる。
【００１８】
第３の態様によると、第２筒形状部分のより多くの部分を第１筒形状部分に重ねることができ、第１プロテクタ分割部と第２プロテクタ分割部とをよりコンパクトな形態に変形させることができる。これにより、プロテクタ付ワイヤーハーネスの中間製造物の保管、運搬効率に優れる。
【図面の簡単な説明】
【００２０】
【図１】実施形態に係るプロテクタを示す斜視図である。
【図２】図１の部分斜視図である。
【図３】プロテクタの第１蓋部及び第２蓋部を示す斜視図である。
【図４】プロテクタの第１収容本体部及び第２収容本体部を示す斜視図である。
【図５】プロテクタを用いてプロテクタ付ワイヤーハーネスを製造する工程を示す概略斜視図である。
【図６】プロテクタを用いてプロテクタ付ワイヤーハーネスを製造する工程を示す概略斜視図である。
【図７】プロテクタを用いてプロテクタ付ワイヤーハーネスを製造する工程を示す概略斜視図である。
【図８】プロテクタを用いてプロテクタ付ワイヤーハーネスを製造する工程を示す概略斜視図である。
【図９】プロテクタを用いてプロテクタ付ワイヤーハーネスを製造する工程を示す概略斜視図である。
【図１０】プロテクタを用いてプロテクタ付ワイヤーハーネスを製造する工程を示す説明図である。
【図１１】プロテクタを用いてプロテクタ付ワイヤーハーネスを製造する工程を示す説明図である。
【図１２】プロテクタを用いてプロテクタ付ワイヤーハーネスを製造する工程を示す説明図である。
【図１３】プロテクタを用いてプロテクタ付ワイヤーハーネスを製造する工程を示す説明図である。
【図１４】変形例に係るプロテクタを示す説明図である。
【図１５】変形例に係るプロテクタを示す説明図である。
【発明を実施するための形態】
【００２１】
以下、実施形態に係るプロテクタ、プロテクタ付ワイヤーハーネス及びその中間製造物、プロテクタ付ワイヤーハーネスの製造方法について説明する。
【００２２】
図１はプロテクタ２０を示す斜視図であり、図２は図１の部分斜視図であり、図３はプロテクタ２０の第１蓋部４０、第２蓋部６０Ａ、６０Ｂを示す斜視図であり、図４はプロテクタ２０の第１収容本体部３４及び第２収容本体部５４Ａ、５４Ｂを示す斜視図である。
【００２３】
このプロテクタ２０は、第１プロテクタ分割部３０と、第２プロテクタ分割部５０Ａ、５０Ｂとを備える。そして、ワイヤーハーネスＷＨが第１プロテクタ分割部３０及び第２プロテクタ分割部５０Ａ、５０Ｂに収容されることで、ワイヤーハーネスＷＨの保護及び経路規制がなされる（図５〜図９参照）。
【００２４】
ここで、ワイヤーハーネスＷＨは、電力の供給或は信号の通信を行う電線を少なくとも１本（ここでは、複数）含んでおり、車両において電気機器同士を接続する配線材として用いられる。ワイヤーハーネスＷＨは、光ファイバを含んでいてもよい。ここでは、ワイヤーハーネスＷＨは、１本にまとめられた状態を示しているが、途中で分岐していてもよい。
【００２５】
プロテクタ２０を全体的にみると、第１プロテクタ分割部３０の両端部に２つの第２プロテクタ分割部５０Ａ、５０Ｂが設けられた構成とされている。
【００２６】
第１プロテクタ分割部３０は、ワイヤーハーネスＷＨを収容可能な形状に形成されている。具体的には、第１プロテクタ分割部３０は、両端側のそれぞれに第１開口部３２ｈが形成された第１筒形状部分３２を含む。ここでは、第１プロテクタ分割部３０の全体が第１筒形状部分３２である。第１筒形状部分が、第１筒形状部分以外の形状を含んでいてもよい。
【００２７】
第２プロテクタ分割部５０Ａ、５０Ｂは、ワイヤーハーネスＷＨを収容可能な形状に形成されている。
【００２８】
具体的には、第２プロテクタ分割部５０Ａは、一端側に一方の前記第１開口部３２ｈと連設可能な第２開口部５２Ａｈが形成された第２筒形状部分５２Ａを含む。より具体的には、第２開口部５２Ａｈは、第２筒形状部分５２Ａの一側部の端部位置（図４の下側端部位置）に形成されている。そして、一方の前記第１開口部３２ｈと前記第２開口部５２Ａｈとが連設して配置可能とされる。ここでは、第２開口部５２Ａｈ内に第１プロテクタ分割部３０のうち一方側の第１開口部３２ｈが形成された部分を挿通配置できる。この状態で、第２筒形状部分５２Ａのうち前記第２開口部５２Ａｈが形成された端部とは反対側の端部（図４の上側端部）が、第１筒形状部分３２に対して交差（ここでは直交）する一方向に突出して配設可能とされる（図９参照）。
【００２９】
第２プロテクタ分割部５０Ｂも、大きさ等が異なる点を除いて、上記第２プロテクタ分割部５０Ａと同様構成とされている。すなわち、第２プロテクタ分割部５０Ｂは、一端側に他方の前記第１開口部３２ｈと連設可能な第２開口部５２Ｂｈが形成された第２筒形状部分５２Ｂを含む。第２開口部５２Ｂｈは、第２筒形状部分５２Ｂの一側部の端部位置（図４の下側端部位置）に形成されている。そして、他方の前記第１開口部３２ｈと前記第２開口部５２Ｂｈとが連設して配置可能とされる。ここでは、第２開口部５２Ｂｈ内に第１プロテクタ分割部３０のうち他方側の第１開口部３２ｈが形成された部分を挿通配置できる。この状態で、第２筒形状部分５２Ｂのうち前記第２開口部５２Ｂｈが形成された端部とは反対側の端部（図４の上側端部）が、第１筒形状部分３２に対して交差（ここでは直交）一方向に突出して配設可能とされる（図９参照）。
【００３０】
なお、ここでは、第１プロテクタ分割部３０の両端側に第２プロテクタ分割部５０Ａ、５０Ｂが設けられた例で説明するが、第２プロテクタ分割部は１つのみ設けられていてもよいし、３つ以上設けられていてもよい。
【００３１】
また、第１プロテクタ分割部３０と第２プロテクタ分割部５０Ａ、５０Ｂとは、それぞれ連結部７０を介して連結されている。
【００３２】
連結部７０は、２つの連結板状部７２と、第１ヒンジ部７３と、第２ヒンジ部７４と、中間ヒンジ部７５とを含む。
【００３３】
連結板状部７２は、細長板状に形成されている。連結板状部７２の幅方向（各ヒンジの軸方向と同じ）における幅寸法は、第１プロテクタ分割部３０の正面視における幅寸法と同じか当該幅寸法よりも小さい（僅かに小さい）寸法に設定されている。２つの連結板状部７２の前記幅方向に対して直交する方向の寸法は、同じに設定されている。これにより、２つの連結板状部７２を互いにはみ出させることなく重ね合せることができるようになっている。
【００３４】
一方の連結板状部７２の一端縁部は、第１ヒンジ部７３を介して第１プロテクタ分割部３０に連結されている。他方の連結板状部７２の一端縁部は、第２ヒンジ部７４を介して第２プロテクタ分割部５０Ａ（又は第２プロテクタ分割部５０Ｂ）に連結されている。また、２つの連結板状部７２同士は、中間ヒンジ部７５を介して連結されている。よって、連結部７０には、第１ヒンジ部７３と第２ヒンジ部７４との間に中間ヒンジ部７５が設けられている。
【００３５】
第１ヒンジ部７３、第２ヒンジ部７４及び中間ヒンジ部７５は、連結板状部７２よりも薄く形成された部分であり、本連結部７０は、第１ヒンジ部７３、第２ヒンジ部７４及び中間ヒンジ部７５において、容易に曲げ変形することができる。
【００３６】
ここでは、連結板状部７２が２つ設けられ、それらの間に中間ヒンジ部７５が１つ設けられた例で説明したが、連結板状部が３つ以上設けられ、中間ヒンジ部が複数設けられていてもよい。
【００３７】
上記のように第１プロテクタ分割部３０と第２プロテクタ分割部５０Ａ、５０Ｂとが、第１ヒンジ部７３、第２ヒンジ部７４及び中間ヒンジ部７５を含む連結部７０を介して連結されているため、前記連結部７０を変形させることで、第１プロテクタ分割部３０に対する第２プロテクタ分割部５０Ａ、５０Ｂの姿勢を変更することができる。また、各連結部７０は、複数のヒンジ部７３、７４、７５を含むため、各ヒンジ部７３、７４、７５を変形させることで、第１プロテクタ分割部３０に対する第２プロテクタ分割部５０Ａ、５０Ｂの位置をも変更することができる。このため、プロテクタ２０全体としてみた場合に、その変形自由度を向上させることができる（図７参照）。
【００３８】
また、上記連結部７０は、第１筒形状部分３２と第２筒形状部分５２Ａ（又は第２筒形状部分５２Ｂ）とが交差する内側コーナー部分に設けられている。このため、第２筒形状部分５２Ａ（又は第２筒形状部分５２Ｂ）のうち第１筒形状部分３２よりも突出する側の端部（上側の端部）を第１筒形状部分３２に重ね合せるように、連結部７０を変形させることができる。これにより、第１プロテクタ分割部３０と第２プロテクタ分割部５０Ａ、５０Ｂとをよりコンパクトな形態に変形させることができる（図７参照）。
【００３９】
上記第１プロテクタ分割部３０及び第２プロテクタ分割部５０Ａ、５０Ｂは、それぞれワイヤーハーネスＷＨを収容する収容本体部とこの収容本体部の開口を塞ぐ蓋部とを含む構成とされており、以下では、この構成に着目しつつより具体的に説明する。
【００４０】
すなわち、第１プロテクタ分割部３０は、第１収容本体部３４と、第１蓋部４０とを含む。
【００４１】
第１収容本体部３４は、一側部にワイヤーハーネス収容用開口３４ｈが形成された形状に形成されている。より具体的には、第１収容本体部３４は、樹脂等によって一体的に金型成型された部材であり、底部３５と、一対の側壁部３６とを備える。底部３５は長方形板状に形成されており、各側壁部３６は長方形板状に形成されている。底部３５の両側部に一対の側壁部３６が形成されており、第１収容本体部３４は、全体として半角筒形状に形成されている。この第１収容本体部３４の延在方向両端側で開口しており、また、第１収容本体部３４のうち前記底部３５の反対側にはワイヤーハーネス収容用開口３４ｈが形成されている。
【００４２】
第１蓋部４０は、第１収容本体部３４に対して前記ワイヤーハーネス収容用開口３４ｈを閉じるように取付可能に形成されている。すなわち、第１蓋部４０は、長方形板状、より具体的には、上記底部３５と同形状の板形状に形成されている。そして、第１収容本体部３４の上記ワイヤーハーネス収容用開口３４ｈの全体を本第１蓋部４０によって閉じることができる。
【００４３】
また、第１収容本体部３４の一対の側壁部３６の外側縁部には、ロック受部３７が形成されている。ロック受部３７は、例えば、ワイヤーハーネス収容用開口３４ｈに対する第１蓋部４０の嵌め込み方向から見て、細長いスリット状の凹部が形成された形状に形成されている。また、第１蓋部４０には、ロック受部３７に挿入固定可能なロック片４１が突設されている。ロック片４１は、例えば、上記ロック受部３７の上記スリットに挿入可能な細長板状部材の先端部にその基端部に向けて徐々に高さが大きくなる突起部を形成した形状とされている。そして、第１蓋部４０を前記第１収容本体部３４に対してワイヤーハーネス収容用開口３４ｈを閉じるように配設した状態で、ロック片４１が前記ロック受部３７に挿入固定され、これにより、第１蓋部４０が第１収容本体部３４のワイヤーハーネス収容用開口３４ｈを閉じた状態が維持される。
【００４４】
また、一方の側壁部３６の長手方向中間部にはワイヤーハーネス引出用凹部３８が形成されている。そして、本第１収容本体部３４内に収容されたワイヤーハーネスＷＨからの分岐線が必要に応じて本ワイヤーハーネス引出用凹部３８から外方に引出される。なお、ワイヤーハーネス引出用凹部３８の周縁部からワイヤーハーネス固定片３８ｐが外方に向けて突出しており、本ワイヤーハーネス引出用凹部３８から引出される前記分岐線がワイヤーハーネス固定片３８ｐに対して粘着テープ等によって固定される。なお、第１蓋部４０のうち上記ワイヤーハーネス引出用凹部３８に対応する側部にも凹部が形成されている。
【００４５】
また、この第１プロテクタ分割部３０は、取付対象（ここでは、後述するリーンホース９６）に対して固定可能な固定片３９が突設されている。ここでは、第１収容本体部３４の一方の側壁部３６の外面から外方に向けて突出するように一対の固定片３９が設けられている。固定片３９には、リーンホース９６に形成された固定孔に挿入固定可能な挿入固定部３９ａが突設されている（図４参照）。挿入固定部３９ａは、例えば、柱状部分の先端部から基端部に向けて外方に広がる固定片が突設された構成とされ、本挿入固定部３９ａを固定孔に挿入すると、前記固定片が固定孔の縁部に抜止め係止する。このような挿入固定部３９ａは、クリップ又はクランプと呼ばれることもある。これにより、本第１収容本体部３４を含む第１プロテクタ分割部３０を取付対象であるリーンホース９６に対して固定できるようになっている。
【００４６】
また、第２プロテクタ分割部５０Ａは、第２収容本体部５４Ａと、第２蓋部６０Ａとを含む。
【００４７】
第２収容本体部５４Ａは、前記第１プロテクタ分割部３０の第１筒形状部分３２に対して突出する側（上側）の端部にワイヤーハーネス収容用開口５４Ａｈが形成された構成とされている。より具体的には、第２収容本体部５４Ａは、樹脂等によって一体的に金型成型された部材であり、一端側（下側）が閉塞されると共に、他端側（上側）がワイヤーハーネス収容用開口５４Ａｈとして開口する筒形状に形成されている。また、第２収容本体部５４Ａの他端側（上側）部分は、その外周りの一方側に突出しており、第２収容本体部５４Ａをその側方から視ると、逆Ｌ字状をなすようになっている。なお、本第２収容本体部５４Ａを側面視した状態において、内側コーナー部分は弧状をなすように湾曲しており、この湾曲面を取付対象であるリーンホース９６の外周面に沿って配設することができるようになっている。
【００４８】
第２蓋部６０Ａは、第２収容本体部５４Ａに対して前記ワイヤーハーネス収容用開口５４Ａｈを閉じるように取付可能に形成されている。すなわち、第２蓋部６０Ａは、長方形板状、より具体的には、ワイヤーハーネス収容用開口５４Ａｈと同形状の板形状に形成されており、ワイヤーハーネス収容用開口５４Ａｈの全体を本第２蓋部６０Ａによって閉じることができる。
【００４９】
また、第２収容本体部５４Ａのうちワイヤーハーネス収容用開口５４Ａｈを囲む外周縁部には、ロック受部５８Ａが形成されている。また、第２蓋部６０Ａには、ロック受部５８Ａに挿入固定可能なロック片６１Ａが突設されている。ロック受部５８Ａ及びロック片６１Ａは、上記ロック受部３７及びロック片４１と同様形状のものを採用することができる。そして、第２蓋部６０Ａを前記第２収容本体部５４Ａに対してワイヤーハーネス収容用開口５４Ａｈを閉じるように配設した状態で、ロック片６１Ａが前記ロック受部５８Ａに挿入固定され、これにより、第２蓋部６０Ａが第２収容本体部５４Ａのワイヤーハーネス収容用開口５４Ａｈを閉じた状態が維持される。
【００５０】
また、第２収容本体部５４Ａをワイヤーハーネス収容用開口５４Ａｈ側から視ると、細長い形状を呈しており、その延在方向の一端部と、他端側の側部にワイヤーハーネス引出用凹部５６Ａ、５７Ａが形成されている。そして、本第２収容本体部５４Ａ内に収容されたワイヤーハーネスＷＨからの幹線又は分岐線が必要に応じて本ワイヤーハーネス引出用凹部５６Ａ，５７Ａから外方に引出される。なお、ワイヤーハーネス引出用凹部５６Ａ、５７Ａの周縁部からワイヤーハーネス固定片５６Ａｐ、５７Ａｐが外方に向けて突出しており、本ワイヤーハーネス引出用凹部５６Ａ、５７Ａから引出される幹線又は分岐線がワイヤーハーネス固定片５６Ａｐ、５７Ａｐに対して粘着テープ等によって固定される。
【００５１】
また、第２収容本体部５４Ａの一側部であって上記ワイヤーハーネス収容用開口５４Ａｈから離れた位置（下側の位置）に上記第２開口部５２Ａｈが形成されている。また、第２収容本体部５４Ａの一側部であって前記ワイヤーハーネス収容用開口５４Ａｈと第２開口部５２Ａｈとの間に中間開口部５９Ａが形成されている。つまり、第２収容本体部５４Ａの一側部（第１プロテクタ分割部３０が配設される側の側部）には、中間開口部５９Ａ及び第２開口部５２Ａｈが繋がって、全体として１つの細長い方形状開口が形成された構成とされており、この方形状開口は、ワイヤーハーネス収容用開口５４Ａｈとも繋がっている。
【００５２】
第２プロテクタ分割部５０Ｂは、大きさ等が異なる点を除いて、上記第２プロテクタ分割部５０Ａと同様構成とされている。第２プロテクタ分割部５０Ｂの各構成部分については、以下の説明及び図面において、上記第２プロテクタ分割部５０Ａの各構成部分に付された参照符号において”Ａ”を”Ｂ”に置換した参照符号を付することとし、その重複説明を省略する。
【００５３】
本プロテクタ２０では、第１蓋部４０と第２蓋部６０Ａ、６０Ｂとが連結部７０を介して連結されており、第１収容本体部３４と第２収容本体部５４Ａ、５４Ｂとは別体に形成されている。第１蓋部第４０と第２蓋部６０Ａ、６０Ｂと２つの連結部７０とは、樹脂等によって一体的に金型成型される。従って、第１収容本体部３４と第２収容本体部５４Ａ、５４Ｂとは、第１蓋部４０と第２蓋部６０Ａ、６０Ｂを取付固定する前の状態では、それぞれの位置関係に拘束されることなく、自由な位置関係に配設可能とされる。そして、第１収容本体部３４と第２収容本体部５４Ａ、５４Ｂとに第１蓋部４０と第２蓋部６０Ａ、６０Ｂを取付固定すると、第１プロテクタ分割部３０と第２プロテクタ分割部５０Ａ、５０Ｂとが連結部７０によって連結されるようになる。
【００５４】
各連結部７０の第１ヒンジ部７３は、第１蓋部４０の延在方向一方側の縁部に設けられ、各連結部７０の第２ヒンジ部７４は、第２蓋部６０Ａ、６０Ｂのうち中間開口部５９Ａ、５９Ｂに面する縁部に設けられている。また、連結部７０は、中間開口部５９Ａ、５９Ｂを閉鎖可能な形状に形成されている。より具体的には、連結部７０は、中間ヒンジ部７５を延し、平面上に延在させた状態で、中間開口部５９Ａ、５９Ｂの開口形状と同じ板形状に変形できるようになっている。そして、第１プロテクタ分割部３０の第１開口部３２ｈを、第２プロテクタ分割部５０Ａ、５０Ｂの第２開口部５２Ａｈ、５２Ｂｈに一致させた状態（つまり、第２プロテクタ分割部５０Ａ、５０Ｂの下方に移動させた状態）で、連結部７０が方形平板状に延在して、第２プロテクタ分割部５０Ａ、５０Ｂのうち第２開口部５２Ａｈ、５２Ｂｈとワイヤーハーネス収容用開口５４Ａｈ、５４Ｂｈの間に広がり、中間開口部５９Ａ、５９Ｂを閉塞する（図９参照）。また、第１プロテクタ分割部３０の第１開口部３２ｈを、第２プロテクタ分割部５０Ａ、５０Ｂの中間開口部５９Ａ、５９Ｂ側に移動させた状態（つまり、第２プロテクタ分割部５０Ａ、５０Ｂの上方に移動させた状態）で、連結板状部７２同士が重なり合うように中間ヒンジ部７５が折れ曲り、第１蓋部４０側に突出するようになる。これにより、第１蓋部４０と第２蓋部６０Ａ、６０Ｂとをその厚み方向になるべく近づけた位置に配設し、また、第１収容本体部３４のワイヤーハーネス収容用開口３４ｈと、第２収容本体部５４Ａ、５４Ｂのワイヤーハーネス収容用開口５４Ａｈ、５４Ｂｈをなるべく同一平面上に近づけて配設できるようになる。
【００５５】
以上のように構成されたプロテクタ２０を用いてプロテクタ付ワイヤーハーネス１０を製造する方法例について説明する。
【００５６】
なお、図５〜図９は同上の方法を示す概略斜視図であり、図１０〜図１３は同上のプロテクタ及び方法のメリットをわかりやすく示すための説明図である。なお、図１０〜図１３では、ヒンジ部７３、７４、７５の位置を黒丸で示してある。
【００５７】
まず、図５に示すように、電線を車両における配線形態に応じた経路に沿って敷設して結束作業等を行うためのワイヤーハーネス組立図板９０として、第１収容本体部３４、第２収容本体部５４Ａ、５４Ｂをセットするためのプロテクタ支持具９２が立設されたものを準備する。プロテクタ支持具９２には、第１収容本体部３４及び第２収容本体部５４Ａ、５４Ｂを一定位置に支持可能なセット凹部９４が形成されている。セット凹部９４のうち第２収容本体部５４Ａ、５４Ｂを保持する部分は、第１収容本体部３４を保持する部分よりも深く形成されており、第１収容本体部３４のワイヤーハーネス収容用開口３４ｈと第２収容本体部５４Ａ、５４Ｂのワイヤーハーネス収容用開口５４Ａｈ、５４Ｂｈをなるべく同一平面上に近づけた位置関係で、第１収容本体部３４と第２収容本体部５４Ａ、５４Ｂとを一定位置に支持できるようになっている。
【００５８】
そして、第１収容本体部３４と第２収容本体部５４Ａ、５４Ｂとをプロテクタ支持具９２でセットした状態で、ワイヤーハーネスＷＨを、ワイヤーハーネス収容用開口３４ｈ、５４Ａｈ、５４Ｂｈを通じて、第１収容本体部３４と第２収容本体部５４Ａ、５４Ｂ内に収容する。この際、ワイヤーハーネス収容用開口３４ｈ、５４Ａｈ、５４Ｂｈがなるべく同一平面上に近づいた位置関係にあるため、ワイヤーハーネスＷＨを大きく曲げたりすることなく、容易に収容作業を実施できる（図１０参照）。
【００５９】
そして、図６に示すように、第１蓋部４０と第２蓋部６０Ａ、６０Ｂとを、第１収容本体部３４と第２収容本体部５４Ａ、５４Ｂとに取付け、ワイヤーハーネス収容用開口３４ｈ、５４Ａｈ、５４Ｂｈを塞ぐ。この際、連結部７０を中間ヒンジ部７５で曲げることによって、第１蓋部４０と第２蓋部６０Ａ、６０Ｂとを、ワイヤーハーネス収容用開口３４ｈ、５４Ａｈ、５４Ｂｈと同様に同一平面上に近づけた位置関係とすることができる。このため、何ら支障なく、第１蓋部４０と第２蓋部６０Ａ、６０Ｂの取付作業を行える（図１１参照）。
【００６０】
このようにして、ワイヤーハーネスＷＨを第１プロテクタ分割部３０及び第２プロテクタ分割部５０Ａ、５０Ｂに収容する工程が実施される。
【００６１】
次に、図７に示すように、連結部７０で曲げてプロテクタ２０を変形させる。この際、連結部７０を中間ヒンジ部７５で真っ直ぐ伸すように変形させることで、第２プロテクタ分割部５０Ａ、５０Ｂのうちワイヤーハーネス収容用開口５４Ａｈ、５４Ｂｈ側の端部を、第１プロテクタ分割部３０に対してより多くの部分で重ね合せることができる（図７の２点鎖線、図１２参照）。なお、この状態では、第１プロテクタ分割部３０と第２プロテクタ分割部５０Ａ、５０Ｂとの間において、ワイヤーハーネスＷＨは、第１開口部３２ｈ及び第２開口部５２Ａｈ、５２Ｂｈから延出して外部で曲った状態となっている。
【００６２】
つまり、プロテクタ２０が所定の形状を維持する最終形態の前段階において、ワイヤーハーネスＷＨを、第１開口部３２ｈ及び第２開口部５２Ａｈ、５２Ｂｈを通って第１プロテクタ分割部３０及び第２プロテクタ分割部５０Ａ、５０Ｂに収容し、かつ、連結部７０が中間ヒンジ部７５で延びた状態で、第１筒形状部分３２と第２筒形状部分５２Ａ、５２Ｂとが重ね合された形態とする（図１２参照）。かかるプロテクタ付ワイヤーハーネスの中間製造物１０ｂは、プロテクタ付ワイヤーハーネス１０の最終形態と比べてコンパクトな形態に変形されているため、その保管、運搬効率に優れる。
【００６３】
上記プロテクタ付ワイヤーハーネスの中間製造物１０ｂを、運搬等して、車両に対する組付現場に搬入する。そして、図８及び図９に示すように、第１プロテクタ分割部３０及び第２プロテクタ分割部５０Ａ、５０Ｂを、取付対象としてのリーンホース９６に取付ける。
【００６４】
すなわち、図８に示すように、連結部７０を中間ヒンジ部７５で曲げて、第１プロテクタ分割部３０の両端部に第２プロテクタ分割部５０Ａ、５０Ｂが直交する姿勢で配設されるようにする。この際、第１開口部３２ｈを第２プロテクタ分割部５０Ａ、５０Ｂに対して中間開口部５９Ａ、５９Ｂ側に位置させる。そして、第２プロテクタ分割部５０Ａ、５０Ｂの側面視における内側コーナー部分内にリーンホース９６を配設するように、第２プロテクタ分割部５０Ａ、５０Ｂをリーンホース９６上に配設する。
【００６５】
そして、図９に示すように、第１プロテクタ分割部３０を第２プロテクタ分割部５０Ａ、５０Ｂに対して下方に移動させて、第１開口部３２ｈを中間開口部５９Ａ、５９Ｂから第２開口部５２Ａｈ、５２Ｂｈ側に移動させる。同時に、連結部７０を中間ヒンジ部７５で真っ直ぐに伸して、中間開口部５９Ａ、５９Ｂを閉じるようにする。この際、第１プロテクタ分割部３０の挿入固定部３９ａを、リーンホース９６の固定孔に挿入して、第１プロテクタ分割部３０をリーンホース９６に対して固定する。また、第２プロテクタ分割部５０Ａ、５０Ｂの外方に延出するワイヤーハーネスＷＨを、リーンホース９６に対して粘着テープ、結束バンド等の固定具９９で固定する。これにより、第１開口部３２ｈと第２開口部５２Ａｈ、５２Ｂｈとが連設された状態で、第１プロテクタ分割部３０と第２プロテクタ分割部５０Ａ、５０Ｂとの位置関係が一定に維持される（図１３参照）。なお、リーンホース９６に対する第１プロテクタ分割部３０の取付固定が粘着テープ、結束バンド等の固定具を用いて行われてもよいし、また、リーンホース９６に対する第２プロテクタ分割部５０Ａ、５０Ｂの取付固定が挿入固定部３９ａと同様の構成によってなされてもよい。また、第１プロテクタ分割部３０、第２プロテクタ分割部５０Ａ、５０Ｂは、その他、ネジ止固定、スタッドボルト等によって取付対象に取付固定されてもよい。
【００６６】
このように、上記プロテクタ２０とワイヤーハーネスＷＨとを車両に組込むのと同時に、一定関係に維持された第１プロテクタ分割部３０と第２プロテクタ分割部５０Ａ、５０ＢとにワイヤーハーネスＷＨが収容された、プロテクタ付ワイヤーハーネス１０が完成する。
【００６７】
以上のように、本実施形態によると、第１プロテクタ分割部３０と、第２プロテクタ分割部５０Ａ、５０Ｂとが、第１ヒンジ部７３と第２ヒンジ部７４と中間ヒンジ部７５とを含む連結部７０によって連結されている。このため、連結部７０を中間ヒンジ部７５でも曲げることによって第１ヒンジ部７３と第２ヒンジ部７４とを近づけて配設することができる。また、連結部７０を中間ヒンジ部７５で延すことで第１ヒンジ部７３と第２ヒンジ部７４とを離して配設することもできる。これにより、第１プロテクタ分割部３０と第２プロテクタ分割部５０Ａ、５０Ｂとの相対的な位置関係を変更することができる。また、第１プロテクタ分割部３０と第２プロテクタ分割部５０Ａ、５０Ｂとを、第１ヒンジ部７３、第２ヒンジ部７４及び中間ヒンジ部７５の少なくとも１つの軸周りに回転させることによっても、第１プロテクタ分割部３０と第２プロテクタ分割部５０Ａ、５０Ｂとの相対的な位置関係を変更することができる。このため、プロテクタ２０の変形自由度を向上させることができる。これにより、プロテクタ２０に対するワイヤーハーネスＷＨの収容作業性の向上、保管、運搬効率の向上等を図ることができる。
【００６８】
また、上記連結部７０が、第１筒形状部分３２と第２筒形状部分５２Ａ、５２Ｂとが交差する内側コーナー部分に設けられているため、第２プロテクタ分割部５０Ａ、５０Ｂの第２筒形状部分５２Ａ、５２Ｂのうち第１筒形状部分３２よりも突出する部分を第１筒形状部分３２に重ねるようにすることができ、第１プロテクタ分割部３０と第２プロテクタ分割部５０Ａ、５０Ｂとをコンパクトな形態に変形させることができる（図１２参照）。この際、連結部７０を中間ヒンジ部７５で延すことで、第２ヒンジ部７４を第１筒形状部分３２の端部から中央よりの位置に配設することで、第２筒形状部分５２Ａ、５２Ｂのうちより多くの部分を第１筒形状部分３２に重ねることができ、第１プロテクタ分割部３０と第２プロテクタ分割部５０Ａ、５０Ｂとをよりコンパクトな形態に変形させることができる。
【００６９】
また、第１収容本体部３４と第２収容本体部５４Ａ、５４Ｂとが別体に形成されているため、これらのワイヤーハーネス収容用開口３４ｈ、５４Ａｈ、５４Ｂｈをなるべく同一平面上に並べるように配設することができる（図１０参照）。これにより、第１収容本体部３４、第２収容本体部５４Ａ、５４Ｂに対するワイヤーハーネスＷＨの収容作業を容易に行える。そして、ワイヤーハーネスＷＨを収容した第１収容本体部３４、第２収容本体部５４Ａ、５４Ｂに、連結部７０を介して連結された第１蓋部４０と第２蓋部６０Ａ、６０Ｂとを取付けることで、ワイヤーハーネス収容用開口３４ｈ、５４Ａｈ、５４Ｂｈを塞いで第１プロテクタ分割部３０と第２プロテクタ分割部５０Ａ、５０ＢにワイヤーハーネスＷＨを収容した状態を維持しつつ、第１プロテクタ分割部３０と第２プロテクタ分割部５０Ａ、５０Ｂを連結した状態に維持して、取扱を容易にすることができる。
【００７０】
なお、第１蓋部４０と第２蓋部６０Ａ、６０Ｂは、同一の部品として保管、管理されるため、その管理、取扱性に優れる。
【００７１】
また、第２収容本体部５４Ａ、５４Ｂの一側部であってワイヤーハーネス収容用開口５４Ａｈ、５４Ｂｈと第２開口部５２Ａｈ、５２Ｂｈとの間に中間開口部５９Ａ、５９Ｂが形成され、連結部７０は、中間ヒンジ部７５で延した状態で、中間開口部５９Ａ、５９Ｂを閉鎖可能な形状に形成されている。このため、ため、連結部７０を中間ヒンジ部７５で曲げることで、第１蓋部４０と第２蓋部６０Ａ、６０Ｂとを近づけて配設することができる。これにより、第１収容本体部３４と第２収容本体部５４Ａ、５４Ｂのそれぞれのワイヤーハーネス収容用開口３４ｈ、５４Ａｈ、５４Ｂｈをなるべく同一平面上に並べるように配設した状態で、各ワイヤーハーネス収容用開口３４ｈ、５４Ａｈ、５４Ｂｈに第１蓋部４０と第２蓋部６０Ａ、６０Ｂとを容易に装着することができる。そして、連結部７０を中間ヒンジ部７５で延すことで、第１プロテクタ分割部３０から第２プロテクタ分割部５０Ａ、５０Ｂのうちワイヤーハーネス収容用開口５４Ａｈ、５４Ｂｈ側の部分を突出させつつ、連結部７０で中間開口部５９Ａ、５９Ｂを閉塞することができる。これにより、本プロテクタ２０においてワイヤーハーネスＷＨをなるべく全体的に覆った状態とすることができる。
【００７２】
なお、第１蓋部４０と第２蓋部６０Ａ、６０Ｂは、なるべく偏平な状態にして（図３）、保管、運搬等されるため、その保管、運搬効率に優れる。
【００７３】
また、このプロテクタ２０によると、ワイヤーハーネスＷＨを第１プロテクタ分割部３０及び第２プロテクタ分割部５０Ａ、５０Ｂに収容した後、連結部７０で曲げてプロテクタ２０を変形させることで、プロテクタ２０を運搬等に適した形態とすることができる。そして、第１プロテクタ分割部３０及び第２プロテクタ分割部５０Ａ、５０Ｂを、取付けた使用に取付けることで、第１プロテクタ分割部３０と第２プロテクタ分割部５０Ａ、５０Ｂとを一定の位置関係に維持して、ワイヤーハーネスＷＨの保護に適した形態とすることができる。
【００７４】
なお、プロテクタの変形自由度を向上させるための構成は、上記例に限られない。
【００７５】
例えば、図１４及び図１５に示す変形例に係るプロテクタ１２０では、第１プロテクタ分割部１３０と第２プロテクタ分割部１５０とが連結部１７０によって連結されている。連結部１７０は、第１プロテクタ分割部１３０に対して第１ヒンジ部１７３を介して連結されると共に、第２プロテクタ分割部１５０に対して第２ヒンジ部１７４を介して連結されている。また、連結部１７０には、第１ヒンジ部１７３と第２ヒンジ部１７４との間に中間ヒンジ部１７５が設けられている。
【００７６】
このプロテクタ２０では、連結部１７０を中間ヒンジ部１７５で曲げることによって、第１プロテクタ分割部１３０と第２プロテクタ分割部１５０とを直線状に配設することができる（図１４参照）。そして、連結部１７０を中間ヒンジ部１７５で延しつつ第１ヒンジ部７３で曲げることによって、第１プロテクタ分割部１３０と第２プロテクタ分割部１５０とを重ねて配設することができ、かつ、第２プロテクタ分割部１５０を第１プロテクタ分割部１３０の端部よりも中央よりの位置に配設することができる（図１４参照）このように、中間ヒンジ部１７５を備えた連結部１７０を用いることで、プロテクタ１２０の変形自由度を向上させることができる。
【００７７】
なお、連結部は、少なくとも１つの中間ヒンジ部を有していればよく、連結部は、各端部の第１ヒンジ部と第２ヒンジ部との間に複数の中間ヒンジ部を有していてもよい。
【００７８】
また、連結部は、第１蓋部４０と第２蓋部６０Ａ、６０Ｂとを連結していることは必須ではなく、第１収容本体部３４と第２収容本体部５４Ａ、５４Ｂとを連結するものであってもよい。
【００７９】
なお、上記実施形態及び各変形例で説明した各構成は、相互に矛盾しない限り適宜組合わせることができる。
【００８０】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００８１】
１０  プロテクタ付ワイヤーハーネス
１０ｂ  プロテクタ付ワイヤーハーネスの中間製造物
２０、１２０  プロテクタ
３０、１３０  第１プロテクタ分割部
３２  第１筒形状部分
３２ｈ  第１開口部
３４  第１収容本体部
３４ｈ  ワイヤーハーネス収容用開口
３９  固定片
４０  第１蓋部
５０Ａ、５０Ｂ、１５０  第２プロテクタ分割部
５２Ａ、５２Ｂ  第２筒形状部分
５２Ａｈ、５２Ｂｈ  竹開口部
５４Ａ、５４Ｂ  第２収容本体部
５４Ａｈ、５４Ｂｈ  ワイヤーハーネス収容用開口
５９Ａ、５９Ｂ  中間開口部
６０Ａ、６０Ｂ  第２蓋部
７０、１７０  連結部
７２  連結板状部
７３、１７３  第１ヒンジ部
７４、１７４  第２ヒンジ部
７５、１７５  中間ヒンジ部
９６  リーンホース
９９  固定具
ＷＨ  ワイヤーハーネス
【図１】
0005935767.tif 000002
【図２】
0005935767.tif 000003
【図３】
0005935767.tif 000004
【図４】
0005935767.tif 000005
【図５】
0005935767.tif 000006
【図６】
0005935767.tif 000007
【図７】
0005935767.tif 000008
【図８】
0005935767.tif 000009
【図９】
0005935767.tif 000010
【図１０】
0005935767.tif 000011
【図１１】
0005935767.tif 000012
【図１２】
0005935767.tif 000013
【図１３】
0005935767.tif 000014
【図１４】
0005935767.tif 000015
【図１５】
0005935767.tif 000016